(57)【特許請求の範囲】
【請求項１】
水平断面が４角形の身と該身に対して嵌合する被せ蓋とからなる身蓋カートンであって、前記被せ蓋の外面が、４辺と４コーナー辺で区画された略８角形状の天板と、該天板の前記４辺に連接する４枚の台形状の斜行板と、該斜行板の底辺に延設された４枚の長方形で垂直な側板と、互いに隣接する前記斜行板の左右両辺と前記天板の前記コーナー辺によって形成される間隙を遮蔽する４枚の略逆三角形状の遮蔽板とからなる１３面体の立体形状であることを特徴とする身蓋カートン。
【請求項２】
前記天板の前記コーナー辺が、前記天板の中央に向かって膨らむ円弧状にカットされていることを特徴とする請求項１記載の身蓋カートン。
【請求項３】
前記身と被せ蓋それぞれが、一枚のカートンブランクより組み立てられることを特徴とする請求項１あるいは２記載の身蓋カートン。
【発明の詳細な説明】
【０００１】
【発明の属する技術分野】
本発明は，多面形状の被せ蓋を有する身蓋カートンに関する。
【０００２】
【従来の技術】
従来から、身蓋カートンは、キャンディ−、チョコレート等の小物贈答品に使用されるパッケージとして、種々の外観形状を有するものが実用、あるいは提案されている。
例えば、特開平７−７６３３５号公報には、側壁部の水平断面が８角形であって、１７面から構成された被せ蓋を有する身蓋カートンが提案されている。そして、この身蓋カートンにおいては、身と被せ蓋それぞれが一枚のカートンブランクを折り込んで側壁部がそれぞれ二重になるように形成されている。
【０００３】
【発明が解決しようとする課題】
一般に、身蓋カートンの外観は主として被せ蓋の形状によって決定される。これまでの身蓋カートンの外観は多角柱体をベースとして、これに若干の変化を持たせた外観形状を有するものが多く、意匠性、高級感において十分に満足されるものは少なく、従って店頭における訴求効果も不足しているという問題があった。
さらに、意匠性、高級感の点でかなり高いレベルにあっても、特開平７−７６３３５号公報にみられるように、複雑な組み立て構造を余儀なくされ、組み立て時間、材料コストがかかり過ぎるという問題があった。
本発明はかかる問題点に鑑みてなされたもので、本発明は、板紙による紙容器でありながら、意匠性に優れ、高級感があり、店頭での訴求効果に優れ、身、被せ蓋とも一枚の最小限のブランクからカートンエレクティングマシン等によって効率良く組み立てることができる身蓋カートンの提供を目的とする。
【０００４】
【課題を解決するための手段】
本発明による身蓋カートンは、水平断面が４角形の身と該身に対して嵌合する被せ蓋とからなる身蓋カートンであって、前記被せ蓋の外面が、４辺と４コーナー辺で区画された略８角形状の天板と、該天板の前記４辺に連接する４枚の台形状の斜行板と、該斜行板の底辺に延設された４枚の長方形の垂直な側板と、互いに隣接する前記斜行板の左右両辺と前記天板の前記コーナー辺によって形成される間隙を遮蔽する４枚の略逆三角形状の遮蔽板とからなる１３面体の立体形状であることを特徴とするものである。
また、前記天板の前記コーナー辺は、前記天板の中央に向かって膨らむ円弧状にカットしてもよい。
さらに、前記身、被せ蓋ともに一枚のカートンブランクから組み立ててもよい。
【０００５】
【発明の実施の形態】
本発明を図面を用いて、更に詳しく説明する。
図１は、本発明による身蓋カートンの被せ蓋のカートンブランクの展開図である。
本発明による身蓋カートンの被せ蓋のカートンブランク１０’は、図１に示すように、略８角形の天板１の対向する２辺に折線を介して台形状の斜行板２をそれぞれ連接し、さらに台形状の斜行板２の長辺に折線を介して矩形状の側板３を延設し、同じく天板１の残る２辺に台形状の斜行板４をそれぞれ折線を介して連接し、さらに台形状の斜行板４の長辺に折線を介して長方形の側板５を延設し、台形状の斜行板２の左右の斜めの２辺に折線を介して逆３角形状の遮蔽板７とさらにその上辺と側辺に折線を介して折り込み片８，９を連接し、また、側板５の両端に折線を介して糊代６を設けてなるものである。
そして、天板１の４コーナー辺Ｒは、天板１の中央に向かって膨らむ円弧状にカットされている。このカットは直線であってもよいが、円弧状のほうが意匠性を高める上で効果的である。
【０００６】
図２は、本発明による身蓋カートンの身のカートンブランクの展開図である。
身のカートンブランク２０’は、トレイ状の身に組み立てられるものであって、種々の実施例の提案が可能である。
図２（ａ）は、一つの実施例の展開図であって、四角形の底板１１を中心にしてその４辺に折線を介して４枚の側板１２を連接し、さらに折線を介して花弁状の折り込み片１３を延設し、対向する側板１２の両端に糊代片１４を延設してなるものである。
ここで、折り込み片１３は、意匠的なものであって、必ずしも延設する必要はない。
図２（ｂ）は、別の実施例の展開図であって、四角形の底板１１と同サイズの縁取り板１５とが、一枚の長方形の側板１６の両長辺に折線を介して連接され、底板１１にはさらに３枚の側板１７が、また縁取り板１５にはさらに３枚の側板１６がそれぞれ連接され、さらに前記中央の側板１６と縁取り板１５に付けられ、且つ前記中央の側板と対向する側板１６の両端に折り込み片１８を連接してなるものである。
【０００７】
図３は、本発明による身蓋カートンの斜視図である。図３（ａ）は身蓋カートン３０の嵌合状態、図３（ｂ）は身蓋カートン３０の開いた状態をそれぞれ示している。
本発明による身蓋カートン３０は、図１に示すカートンブランク１０’と図２に示すカートンブランク２０’からそれぞれ組み立てられた被せ蓋１０と身２０からなるものであって、その外形は略被せ蓋１０の外形によって決定される。
すなわち、本発明による身蓋カートン３０の被せ蓋１０は、４辺と円弧状の４コーナー辺Ｒで区画される略８角形状の天板１と、その４辺に連接する４枚の台形状の斜行板２、４と、それらの長辺に延設する４枚の長方形の垂直な側板３、５と、互いに隣接する斜行板２と斜行板４のそれぞれの左右両辺と前記天板の円弧状のコーナー辺Ｒによって区画される間隙を遮蔽する逆三角形の閉鎖板７とその上辺に連接し略水平に折り返される折り返し片９から構成されてなる１３面体であり、本発明による身蓋カートン３０は、さらに身２０の底板を加えて１４面体となっている。
折り返し片９は水平に折り返されて円弧状にカットされた天板１の４コーナー辺Ｒの外側の空間を遮蔽するように作用している。これら折り返し片９と天板１の重なりによって段差が生じているものの、４隅に現れる折り返し片９は、天板１の一部を構成しているものと見なして、天板１に含めて１面として数えている。さらに、被せ蓋１０と身２０の嵌合によって生じる側部の段差も無視して面を数えている。
【０００８】
本発明による身蓋カートン３０は以上のような中央の天板１が盛り上がった１４面体構造であり、さらに、天板１のコーナー辺Ｒのカット形状を内向きの円弧状にすることによって、また、板紙に対する自由度の高いプレプリント方式が採用できるため、被せ蓋のフォルムと印刷によるグラフィックデザインの相乗効果を発揮してこれまでに見られない高意匠性と高級感を生み出すことができる。従って、キャンディ−、チョコレート等の小物贈答品のパッケージとして効果を発揮する。
キャンディ−、チョコレート等は一次包装されて本発明による身蓋カートン３０に箱詰めされるが、その外側をさらに熱収縮性フィルム、ストレッチフィルム等でオーバーラッピングすることがバリアー性、防塵性の付与さらに悪戯防止の点から好ましい。
【０００９】
本発明による身蓋カートン３０には、アイボリー、カード、マニラ、コートボール等広範囲の板紙の使用が可能であり、坪両も２９０〜４８０ｇ／ｍ2 の範囲で使用が可能である。また裏面に再生紙を使用した所謂「裏ネズ」のコートボールの使用も可能である。
また、板紙の片面もしくは両面にポリオレフィン系樹脂層を有する板紙を使用してもよい。
さらに、外面に金属光沢のあるアルミ箔や、光沢のある樹脂層等を設けることにより、一点から目視した時に、各面ごとに異なる光沢を示す多面体が得られ意匠性はさらに高まる。
【００１０】
本発明による身蓋カートンの蓋のカートンブランク１０’は、枚葉もしくは巻き取り状態の板紙に印刷してから打ち抜かれるものであって、プラスチック成形品等に対する印刷と異なりプレプリントであって、印刷の自由度は高く、オフセット、グラビア、フレキソ、シルクスクリーン等の公知のいかなる印刷手段の使用も可能である。
さらに、箔押し、エンボス、ラベリング等の印刷後の表面加工も自由に行うことができる。
また、本発明による身蓋カートン３０のカートンブランクからの成形は、従来のカートニングマシンを若干改造するだけで十分可能であり、新規に設計製造する必要はない。またシュリンクフィルム等によるオーバーラッピングも従来の装置がそのまま利用ができる。
【００１１】
以上説明した本発明による身蓋カートン３０の被せ蓋１０と身２０をコートボール（裏白）３１０ｇ／ｍ2 （大昭和製紙（株）製）を用い、図１と図２に示した各部寸法を有するカートンブランクからそれぞれ手作業で組み立て、これらを嵌合して、本発明による身蓋カートン３０の実施例サンプルを作成した。
なお、印刷にはオフセット印刷を用いた。
実施例サンプルの１４面体からなる造形は、ユニークな、アトラクティブなものとなり、意匠性に優れ、高級感のあるものとなった。
【００１２】
本発明による身蓋カートン３０は、以上の実施の態様と図面の記載に限定されることなく、本発明の要旨を逸脱しない範囲内で種々の変形が可能である。
例えば、天板１、底板１１は必ずしも正方形でなくともよい。また天板１の一部に窓貼り等の加工が施され中身を見せるようにしてもよい。
【００１３】
【発明の効果】
本発明による身蓋カートンによれば、板紙という安く、環境負荷の少ない素材を最小限に使用して、造形と意匠性に優れ、高級感のあるギフト用パッケージを提供することができる。
従って、店頭での訴求化、差別化の効果のみならず、チョコレート、キャンディー等は無論、その他一般の小物ギフト用パッケージとして利用でき、ギフトの送り手、受け手双方の満足感を高めることができる。
また、組み立てには新規なカートンエレクティングマシン等の設置の必要はなく、必要最小限度の面積のカートンブランクから組み立てることができる。
さらに、使用後はフラットなブランク状態に戻して減容化しながら廃棄することができ、しかも焼却し易いという環境負荷の少ないパッケージを提供することができる。
【図面の簡単な説明】
【図１】本発明による身蓋カートンの被せ蓋のカートンブランクの展開図
【図２】本発明による身蓋カートンの身のカートンブランクの展開図
【図３】本発明による身蓋カートンの斜視図
【符号の説明】
１    天板
２、４    斜行板
３、５    側板
６    糊代
７    遮蔽板
８、９    折り返し片
１０    本発明による身蓋カートンの被せ蓋
１０’  本発明による身蓋カートンの被せ蓋のカートンブランク
１１    底板
１２    側板
１３    折り返し片
１４    糊代
１５    縁取り板
１６、１７    側板
２０    本発明による身蓋カートンの身
２０’  本発明による身蓋カートンの身のカートンブランク
３０    本発明による身蓋カートン
【図１】
0004498599.tif 000002
【図２】
0004498599.tif 000003
【図３】
0004498599.tif 000004